(57)【要約】【課題】従来の枠材と板材との固定では、板材の押え縁を木ネジで固定するために、木ネジが露出し見映えが悪いと共に、板材交換時に木ネジの着脱を繰り返すとねじ山が劣化して強固な固定が行い難くなる。【解決手段】枠材に一方向に沿って直線上に突設される当接材の板材当接面に板材の一方側を当接させると共に、押え縁材のジョイント溝にジョイント材を挿入固着した後、該ジョイント材を当接材に平行して刻設される係止溝に挿入係止することで押え縁材の板材当接面を板材の他方側に当接させて当接材と押え縁材とで板材を挟持し枠材に固定する。【選択図】  図５
2011111752.tif 000002
【特許請求の範囲】
【請求項１】
一方向に沿って直線上に突設される当接材と該当接材に平行して刻設される係止溝とが設けられた枠材と、板材と、一方向に沿って直線上に刻設されるジョイント溝が設けられた押え縁材と、長尺のジョイント材とからなり、ジョイント材を介して枠材に挿入係止される押え縁材と当接材とで板材が挟持されていることを特徴とする板材の固定構造。
【請求項２】
ジョイント材の少なくとも係止溝挿入部には突起が設けられていることを特徴とする請求項１に記載の板材の固定構造。
【請求項３】
ジョイント材は硬質樹脂の芯材と軟質樹脂の突起からなることを特徴とする請求項２に記載の板材の固定構造。
【請求項４】
請求項１乃至３に記載の板材の固定構造の施工方法であって、当接材の板材当接面に板材の一方側を当接させると共に、押え縁材のジョイント溝にジョイント材を挿入固着した後、該ジョイント材を係止溝に挿入係止することで押え縁材の板材当接面を板材の他方側に当接させて当接材と押え縁材とで板材を挟持し枠材に固定することを特徴とする板材の固定構造の施工方法。
【発明の詳細な説明】
【技術分野】
【０００１】
本発明は、枠材と板材の着脱が簡単に行えると共に意匠性にも優れた板材の固定構造とその施工方法に関するものである。
【背景技術】
【０００２】
框に鏡板やガラス板を嵌め込んだドアや室内窓の枠材にガラス板を固定する方法として従来から行われている一例を特許文献１に開示する。図７に示すように木製ドアの框Ａ（枠材）にガラス板Ｂを固定するために木製の押え縁Ｃを木ネジＤで固定することにより、框の先端部Ｅと押え縁Ｃとで挟持する方法である。
【先行技術文献】
【特許文献】
【０００３】
【特許文献１】実公昭６２−４４０５９号公報
【発明の概要】
【発明が解決しようとする課題】
【０００４】
図７は框Ａとガラス板Ｂとの固定部分について片方のみを図示したもので、ガラス板Ｂは他方においても同様の構造で框Ａと押え縁Ｃとに挟持されており、このような構成で窓ガラス（鏡板も同様）を有するドアが形成されている。ドアだけでなく若干細部の形状は異なるものの室内窓等でのガラス板の固定もこれと同様の構造で行うことができる。
【０００５】
しかし、見え難いように掘り込みを入れて木ネジＤで固定しても、押え縁Ｃには木ネジＤが外から見えており、上からキャップで被覆したとしても目に付いて見映えが悪いと共に、ガラス板破損時等に木ネジＤを取外しガラス板交換を行った後に再度固定する場合、木ネジＤの着脱を何度か繰り返すと押え縁側Ｃのねじ山が劣化して強固な固定が行い難くなるという問題が生じる。
【０００６】
本発明は、かかる問題点に鑑みなされたものであり、枠材と板材の着脱が簡単に行えると共に意匠性にも優れた板材の固定構造とその施工方法を提供することを目的とする。
【０００７】
上記目的を解決するために、請求項１に係る板材の固定構造の発明は、一方向に沿って直線上に突設される当接材と該当接材に平行して刻設される係止溝とが設けられた枠材と、板材と、一方向に沿って直線上に刻設されるジョイント溝が設けられた押え縁材と、長尺のジョイント材とからなり、ジョイント材を介して枠材に挿入係止される押え縁材と当接材とでガラス板が挟持されていることを特徴とする。
【０００８】
請求項２に係る板材の固定構造の発明は、請求項１に記載のジョイント材の少なくとも係止溝挿入部には突起が設けられていることを特徴とする。
【０００９】
請求項３に係る板材の固定構造の発明は、請求項２に記載のジョイント材が硬質樹脂の芯材と軟質樹脂の突起からなることを特徴とする。
【００１０】
請求項４に係る板材の固定構造の施工方法の発明は、請求項１乃至３に記載の板材の固定構造において、当接材の板材当接面に板材の一方側を当接させると共に、押え縁材のジョイント溝にジョイント材を挿入固着した後、該ジョイント材を係止溝に挿入係止することで押え縁材の板材当接面を板材の他方側に当接させて当接材と押え縁材とで板材を挟持し枠材に固定することを特徴とする。
【発明の効果】
【００１１】
請求項１に係る発明は、一方向に沿って直線上に突設される当接材と該当接材に平行して刻設される係止溝とが設けられた枠材と、板材と、一方向に沿って直線上に刻設されるジョイント溝が設けられた押え縁材と、長尺のジョイント材とからなり、ジョイント材を介して枠材に挿入係止される押え縁材と当接材とで板材が挟持されている板材の固定構造であるので、個々の簡易な部材の組合せによって板材を枠材に着脱自在にかつ強固に固定することができると共に意匠的にも見映えのよいものが得られる。
【００１２】
請求項２に係る発明は、請求項１に記載のジョイント材の少なくとも係止溝挿入部には突起が設けられているので、ジョイント材を係止溝から取外す場合に突起が抵抗となり外れ難く、枠材とガラス板とをより強固に固定することができる。
【００１３】
請求項３に係る発明は、請求項２に記載のジョイント材が硬質樹脂の芯材と軟質樹脂の突起からなるので、ジョイント材自体は剛性があり応力がかかっても曲がったり破損したりすることはないと共に突起は弾力性を有するので、挿入時には容易に挿入でき固定時には突起が反発力により係止溝の内面を押し付けることで強固に固定される。また、取外し時は突起が抵抗して外れ難くなるが少し力を加えると容易に変形するので着脱が容易に行える。
【００１４】
請求項４に係る発明は、請求項１乃至３に記載の板材の固定構造を具体的に形成するための施工方法であって、当接材の板材当接面に板材の一方側を当接させると共に、押え縁材のジョイント溝にジョイント材を挿入固着した後、該ジョイント材を係止溝に挿入係止することで押え縁材の板材当接面を板材の他方側に当接させて当接材と押え縁材とで板材を挟持し枠材に固定するので、前記請求項１乃至３に記載の効果を簡単な施工法により実現することができる。
【図面の簡単な説明】
【００１５】
【図１】本発明の枠材を示す斜視図。
【図２】本発明の押え縁材を示す斜視図。
【図３】本発明のジョイント材を示す斜視図。
【図４】本発明の板材を係止当接材に当接した状態を示す斜視図。
【図５】本発明の板材を係止当接材と押え縁材で挟持した状態を示す斜視図。
【図６】本発明の板材を枠材に固定した室内窓を示す斜視図。
【図７】従来技術の枠材にガラスを固定した状態を示す断面図。
【発明を実施するための形態】
【００１６】
以下、本発明の実施形態について、図１から図６を用いて説明する。もちろん本発明は前記図面及び本実施形態の記載内容に限られるものではない。
【００１７】
本発明に係る板材を枠材に固定した室内窓Ｗの一例を図６に示す。室内窓Ｗは、枠材１、板材２、押え縁材５で構成される。枠材１には当接材３が一方向に沿って直線上に突設されているので、板材当接面３１が板材２と全面に亘って密着できる。当接材３の固定は、例えば図１に示すように、一端部に長手に連続する突条を設けて枠材１に設けた溝に該突条を係止されると共に接着されている。また、該当接材３に平行して係止溝４が刻設されるているので、該係止溝４が挿入係止される押え縁材５の板材当接面５２が全面に亘って板材２に密着して強固な固定ができる。係止溝４の位置は板材２の厚みと押え縁材５のジョイント溝５１の位置から計算される。
【００１８】
図２に示す押え縁材５の裏面側一端部に長手に連続するジョイント溝５１を設け、図３に示すジョイント材６を挿入すると共に接着剤で固着する。ジョイント溝５１の位置は押え縁材５の端部から破損しない程度の位置（５〜１０ｍｍ）に設けられる。枠材１、当接材３、押え縁材５は、合板、ＬＶＬ、集成材、ＭＤＦ、パーティクルボード等が単独又は複合して基材として用いられ、表面に化粧シート、突板、塗装等で外から見える表面、木口に化粧が施される。
【００１９】
ジョイント材６は、硬質樹脂の芯材と軟質樹脂の突起６１で構成される。一例として硬質のＡＢＳ樹脂と軟質のエラストマーが用いられる。その他、ポリプロピレン、ポリスチレン、ポリエチレン等の硬質、軟質樹脂を用いることができる。突起６１は図３ではジョイント材の両端部に設けられているが、少なくとも脱着を繰り返す係止溝挿入部６２に設けられていたら良い。突起６１の形状としては端部から中心に向かって外部に広がるように突出させることで、挿入し易く抜け難いものが得られる。また、硬質樹脂の芯材と軟質樹脂の突起６１を用いているので、ジョイント材６自体は剛性があり応力がかかっても曲がったり破損したりすることはない一方、突起６１は取外し時は突起６１が逆方向に引っ張られて係止溝４の内面に抵抗して外れ難くなるが、弾性を有するので少し力を加えると容易に変形し着脱が容易に行える。
【００２０】
以下、施工手順に従って説明する。図４、図５に示すように、当接材３の板材当接面３１に板材２の一方側を当接させ、押え縁材５に固着したジョイント材６を係止溝４に挿入係止することにより板材２の他方側に板材当接面５１を当接させることで、板材２を当接材３と押え縁材５とで挟持する。
【００２１】
押え縁材５は枠材１に対してジョイント材６を係止溝４に挿入係止するのみで接着剤等で固着せず着脱自在なので、板材２が破損した際にも押え縁材５を外して簡単に取替ができると共に、木ネジ等も使用しないので外観の意匠性にも優れた室内窓が得られる。
【産業上の利用可能性】
【００２２】
ジョイント材を係止溝に挿入係止することにより押え縁材を着脱自在にできるので、板材の交換等が簡単に行えると共に意匠性にも優れた室内窓や鏡板やガラス板を框に嵌め込んだドア等のように枠材への板材の固定構造を提供できるので、極めて有用で産業上の利用可能性が高い。
【符号の説明】
【００２３】
１              枠材
２              板材
３              当接材
４              係止溝      
５              押え縁材
６              ジョイント材
６１            突起                    
【図１】
2011111752.tif 000003
【図２】
2011111752.tif 000004
【図３】
2011111752.tif 000005
【図４】
2011111752.tif 000006
【図５】
2011111752.tif 000007
【図６】
2011111752.tif 000008
【図７】
2011111752.tif 000009